(57)【特許請求の範囲】
【請求項１】
前方を向いて、且つ水平面に対して略垂直に立てた状態に設けられた下部フロントプレートと、
前記下部フロントプレートの上端から上斜め前方に張り出して、前上がりに傾斜し、その表側の前面に発光素子が取り付けられたフロントベースプレートと、
前記フロントベースプレートの上斜め前方に配置され、前後に延びた庇部と、
前記下部フロントプレート、前記フロントベースプレート及び前記庇部の裏側の面に対して立てた状態で前記下部フロントプレート、前記フロントベースプレート及び前記庇部の裏側の面に設けられるとともに、上下方向に延び、左右に間隔をおいて配列された複数のフィンと、を備えることを特徴とする照明装置のヒートシンク。
【請求項２】
前記庇部を上下に貫通するように前記庇部に形成された貫通孔と、
前記庇部の前端から上方に延び出るように設けられた前枠と、を更に備えることを特徴とする請求項１に記載の照明装置のヒートシンク。
【請求項３】
前記前枠が前記発光素子の設置面を上斜め前に延長した面よりも上に延び出ていることを特徴とする請求項２に記載の照明装置のヒートシンク。
【請求項４】
前記庇部の表側の面が反射防止加工されていることを特徴とする請求項１から３の何れか一項に記載の照明装置のヒートシンク。
【請求項５】
前記庇部の表側の面が前記発光素子又はその近傍を焦点とした放物面系反射面であり、前記発光素子から発した光が前記庇部の表側の面で前方へ反射されることを特徴とする請求項１から３の何れか一項に記載の照明装置のヒートシンク。
【請求項６】
請求項１から５の何れか一項に記載のヒートシンクと、
前記発光素子と、
前記発光素子から発した光を前方に向けて投射して、配光を形成する光学系と、を備えることを特徴とする照明装置。
【請求項７】
前記光学系が導光体であり、
前記導光体が、
前記フロントベースプレートに対向し、前上がりに傾斜し、前記発光素子から発した光を受け入れる入射面と、
前記入射面の前方に配置され、前記入射面に入射した光を下斜め後方に反射させる第１の反射面と、
前記フロントベースプレート及び前記入射面の下方であって前記下部フロントプレートの前方に配置され、前記第１の反射面によって反射した光を前方に反射させる第２の反射面と、
前記第２の反射面の前方に配置され、前記第２の反射面によって反射した光を前方に出射させる出射面と、を有することを特徴とする請求項６に記載の照明装置。
【請求項８】
前記庇部が前記入射面の上縁よりも上に位置し、
前記庇部が前記発光素子と前記入射面の上縁とを結ぶ延長面よりも前方に延び出ていることを特徴とする請求項７に記載の照明装置。
【発明の詳細な説明】
【技術分野】
【０００１】
本発明は、照明装置及びそのヒートシンクに関する。
【背景技術】
【０００２】
発光ダイオードは、電球、放電管等と比較して、小型化、低消費電力、長寿命である。そのため、近年、車両用前照灯、車両用フォグランプ、家庭用照明等の照明装置の光源は、電球、放電管等から発光ダイオードに代替されてきている。ところが、発光ダイオードに電流が流れると、局部（ＰＮ接合部）に熱が集中するので、発光ダイオードの放熱対策が必要となる。
【０００３】
特許文献１には、放熱対策が施されたプロジェクタランプが記載されている。特許文献１の図４に示されているように、発光ダイオード（６）がマウントプレート（７）の上に搭載され、その発光ダイオード（６）が上に向いている。リフレクタ（８）は、発光ダイオード（６）を上から覆うようにしてマウントプレート（７）に取り付けられている。ヒートシンク（１２）がマウントプレート（７）から下に垂下するように設けられ、放熱フィン（１５）がリフレクタ（８）の上面から上に突き出るように設けられている。発光ダイオード（６）から発した熱がヒートシンク（１２）や放熱フィン（１５）まで伝熱し、その熱がヒートシンク（１２）や放熱フィン（１５）から空気中に放出される。その際、ヒートシンク（１２）や放熱フィン（１５）の熱によって気流が生じる。
【先行技術文献】
【特許文献】
【０００４】
【特許文献１】特開２００８−１３０２３２号公報
【発明の概要】
【発明が解決しようとする課題】
【０００５】
しかし、ヒートシンク（１２）の上側がマウントプレート（７）によって塞がれているから、ヒートシンク（１２）の熱によって生じた気流はマウントプレート（７）によって妨げられて小さくなってしまう。また、放熱フィン（１５）の下側もリフレクタ（８）によって塞がれているから、放熱フィン（１５）の熱によって生じた気流も小さい。そのため、ヒートシンク（１２）や放熱フィン（１５）からの放熱量も限られたものとなる。
ところで、特許文献１に記載されたプロジェクタランプに限らず、各種の照明装置では、発光ダイオードから発した光がレンズ等の光学系に入射せずに、直射光として外部に漏れてしまうことがある。このような漏れ光は、照明装置の配光に悪影響を与えてしまう。
そこで、本発明が解決しようとする課題は、気流を利用してフィンの放熱量を高められるようにすることと、発光素子から発した光が直射光として漏れないようにすることである。
【課題を解決するための手段】
【０００６】
以上の課題を解決するために、本発明に係る照明装置のヒートシンクは、前方を向いて、且つ水平面に対して略垂直に立てた状態に設けられた下部フロントプレートと、前記下部フロントプレートの上端から上斜め前方に張り出して、前上がりに傾斜し、その表側の前面に発光素子が取り付けられたフロントベースプレートと、前記フロントベースプレートの上斜め前方に配置され、前後に延びた庇部と、前記下部フロントプレート、前記フロントベースプレート及び前記庇部の裏側の面に対して立てた状態で前記下部フロントプレート、前記フロントベースプレート及び前記庇部の裏側の面に設けられるとともに、上下方向に延び、左右に間隔をおいて配列された複数のフィンと、を備える。
【０００７】
好ましくは、前記ヒートシンクが、前記庇部を上下に貫通するように前記庇部に形成された貫通孔と、前記庇部の前端から上方に延び出るように設けられた前枠と、を更に備える。
【０００８】
好ましくは、前記前枠が前記発光素子の設置面を上斜め前に延長した面よりも上に延び出ている。
【０００９】
好ましくは、前記庇部の表側の面が反射防止加工されている。
【００１０】
好ましくは、前記庇部の表側の面が前記発光素子又はその近傍を焦点とした放物面系反射面であり、前記発光素子から発した光が前記庇部の表側の面で前方へ反射される。
【００１１】
以上の課題を解決するために、本発明に係る照明装置は、前記ヒートシンクと、前記発光素子と、前記発光素子から発した光を前方に向けて投射して、配光を形成する光学系と、を備える。
【００１２】
好ましくは、前記光学系が導光体であり、前記導光体が、前記フロントベースプレートに対向し、前上がりに傾斜し、前記発光素子から発した光を受け入れる入射面と、前記入射面の前方に配置され、前記入射面に入射した光を下斜め後方に反射させる第１の反射面と、前記フロントベースプレート及び前記入射面の下方であって前記下部フロントプレートの前方に配置され、前記第１の反射面によって反射した光を前方に反射させる第２の反射面と、前記第２の反射面の前方に配置され、前記第２の反射面によって反射した光を前方に出射させる出射面と、を有する。
【００１３】
好ましくは、前記庇部が前記入射面の上縁よりも上に位置し、前記庇部が前記発光素子と前記入射面の上縁とを結ぶ延長面よりも前方に延び出ている。
【発明の効果】
【００１４】
本発明によれば、隣り合うフィンの隙間の上や下が下部フロントプレート、フロントベースプレート及び庇部によって塞がれていない。そうすると、フィンの熱によって生じる気流が上昇気流となり、その上昇気流が下部フロントプレート、フロントベースプレート及び庇部によって妨げられない。そのため、隣り合うフィンの間を通る上昇気流が強くなり、フィンの放熱量が高まる。
また、フィンが、フロントベースプレートの裏側の面のみならず、下部フロントプレート及び庇部の裏側の面にも設けられているから、発光素子で発した熱が下部フロントプレートや庇部を通じてフィンに伝導する。そのため、発光素子を効率よく冷却することができる。
また、発光素子が取り付けられたフロントベースプレートの上斜め前方に庇部が配置されているから、発光素子から上斜め前方に向かう直射光が庇部によって遮られる。そのため、漏れ光を抑えることができる。
また、庇部がヒートシンクの一部であるから、遮光用部材を別途照明装置に設けなくとも済む上、庇部による放熱効果が向上する。
また、フロントベースプレートが前上がりに傾斜し、フロントベースプレートの前面に取り付けられた発光素子が下斜め前を向いているから、光学系の前後長を短くすることができる。
【図面の簡単な説明】
【００１５】
【図１】本発明の第１実施形態における照明装置の前方斜視図である。
【図２】同実施形態における照明装置の鉛直断面図である。
【図３】同実施形態におけるヒートシンクの前方斜視図である。
【図４】同実施形態におけるヒートシンクの平面図、正面図及び側面図である。
【図５】図２に示された断面の一部を拡大して示した鉛直断面図である。
【図６】本発明の第２実施形態における照明装置の鉛直断面図である。
【図７】同実施形態における照明装置の平面図である。
【図８】図６に示された断面の一部を拡大して示した鉛直断面図である。
【図９】本発明の第３実施形態における照明装置の鉛直断面図である。
【発明を実施するための形態】
【００１６】
以下に、本発明を実施するための形態について図面を用いて説明する。但し、以下に述べる実施形態には、本発明を実施するために技術的に好ましい種々の限定が付されているが、本発明の範囲を以下の実施形態及び図示例に限定するものではない。
【００１７】
〔第１の実施の形態〕
図１は、照明装置１の前方斜視図である。図２は、照明装置１を横から見て示した鉛直断面図である。
【００１８】
この照明装置１は、自動四輪車、自動二輪車、自転車、鉄道車両その他の車両に用いられる車両用灯具である。また、この照明装置１は、車両の前照灯、フォグランプその他の車両用灯具として用いられるものである。なお、以下の説明において、「上」、「下」、「前」、「後」、「左」、「右」は、それぞれ、照明装置１が装備された車両の「上」、「下」、「前」、「後」、「左」、「右」である。従って、後ろから前に向かって見て（いわゆる運転手の視点で）、左右の向きを定める。
【００１９】
照明装置１の光軸Ａｘは、前方に延びている。照明装置１は、発光素子１０、導光体２０及びヒートシンク３０等を備える。
発光素子１０は、基板１１上に実装されている。基板１１がヒートシンク３０の表側の面（前面）に取り付けられ、発光素子１０が下斜め前方に向けられている。発光素子１０は、発光ダイオード、無機エレクトロルミネッセンス素子、有機エレクトロルミネッセンス素子その他の半導体発光素子である。
【００２０】
光学系としての導光体２０は、発光素子１０から発した光を前方に投射して、所定の配光を形成するものである。導光体２０は、入射面２１、第１の反射面２２、第２の反射面２３及び出射面２４を有する。入射面２１は、上斜め後方に向けられている。つまり、入射面２１は、発光素子１０に向けられている。第１の反射面２２は、入射面２１の前方に形成されている。第２の反射面２３は、入射面２１の下方に隣接するとともに、第１の反射面２２の下斜め後方に形成されている。出射面２４は、第１の反射面２２の下方に隣接するとともに、第２の反射面２３の前方に形成されている。出射面２４と第１の反射面２２が、連続して、面一に設けられている。なお、出射面２４と第１の反射面２２が分離して、出射面２４と第１の反射面２２の境界部が段差又は角となっていてもよい。
【００２１】
入射面２１は、発光素子１０から発した光を取り込むとともに、その光を屈折させる。第１の反射面２２は、入射面２１に入射した光を下斜め後方に反射させる。第２の反射面２３は、第１の反射面２２によって反射した光を前方に反射させる。出射面２４は、第２の反射面２３によって反射した光を前方に出射させるとともに、その光を屈折させる。入射面２１、第１の反射面２２、第２の反射面２３及び出射面２４の形状は、所望の配光を得るために設計されたものである。入射面２１、第１の反射面２２、第２の反射面２３及び出射面２４によって焦点Ｆ（又は、左右方向に延びた焦線）が設定され、その焦点Ｆ（焦線の場合には、焦線の中心点）が発光素子１０又はその近傍に位置している。
【００２２】
照明装置１を前照灯又はフォグランプとして用いる場合には、入射面２１、第１の反射面２２、第２の反射面２３及び出射面２４の形状によって、出射面２４から前方に出射する光が、左又は右から見て、水平面に対して僅かに下に傾いた略平行光となる。一方、入射面２１、第１の反射面２２、第２の反射面２３及び出射面２４の形状によって、出射面２４から前方に出射する光は、上又は下から見て、放射状に左右へ拡散した光となる。
【００２３】
入射面２１に入射した光が反射面２２，２３によって反射されるから、入射面２１から出射面２４までの光路の距離を確保しつつ、導光体２０の前後長を短くすることができる。
また、より明るい配光を得るべく、入射面２１を広くしても、導光体２０の前後長が長くならず、導光体２０の小型化を図ることができる。これは、発光素子１０が下斜め前を向き、入射面２１がその発光素子１０に対向し、その入射面２１が前上がりに傾斜しているためである。
【００２４】
図３は、ヒートシンク３０の前方斜視図である。図４（ａ）は、ヒートシンク３０の平面図である。図４（ｂ）は、ヒートシンク３０の正面図である。図４（ｃ）は、ヒートシンク３０の側面図である。
【００２５】
図３、図４（ａ）〜図４（ｃ）に示すように、ヒートシンク３０は、下部フロントプレート３１、フロントベースプレート３２、上部フロントプレート３３、左右一対のサイドプレート３４，３４、左右一対のフランジ３５，３５、複数のフィン３６、庇部３８及び前枠３９を有する。これら下部フロントプレート３１、フロントベースプレート３２、上部フロントプレート３３、サイドプレート３４、フランジ３５、フィン３６、庇部３８及び前枠３９は、一体成形されている。これら下部フロントプレート３１、フロントベースプレート３２、上部フロントプレート３３、サイドプレート３４、フランジ３５、フィン３６、庇部３８及び前枠３９は、伝熱材料（アルミニウム、アルミニウム合金、鉄鋼、ステンレス鋼、銅その他の金属）からなる。
【００２６】
下部フロントプレート３１が水平面に対して略垂直となるように立っており、下部フロントプレート３１の表側の面（前面）が前方を向いている。下部フロントプレート３１は、正面から見て、矩形状に成している。フロントベースプレート３２は、下部フロントプレート３１の上端に繋がっている。フロントベースプレート３２は、下部フロントプレート３１の上端から上斜め前方に張り出して、前上がりに傾斜している。
【００２７】
フロントベースプレート３２は、後寄り部分３２ａと、前寄り部分３２ｂとからなる。後寄り部分３２ａは、下部フロントプレート３１の上端から上斜め前方に張り出している。前寄り部分３２ｂは、後寄り部分３２ａの前端から上斜め前方に張り出している。後寄り部分３２ａ及び前寄り部分３２ｂは、前上がりに傾斜している。後寄り部分３２ａの勾配が前寄り部分３２ｂの勾配よりも緩やかである。後寄り部分３２ａ及び前寄り部分３２ｂは、正面から見て、上底が下底よりも短い等脚台形の形状を成している。
【００２８】
上部フロントプレート３３は、フロントベースプレート３２の前端（つまり、前寄り部分３２ｂの上底）に繋がっているとともに、フロントベースプレート３２の前端から上方に張り出している。上部フロントプレート３３が水平面に対して略垂直となるように立っているとともに、上部フロントプレート３３の表側の面（前面）が前方を向いている。上部フロントプレート３３は、正面から見て、矩形状に成している。
【００２９】
下部フロントプレート３１、フロントベースプレート３２及び上部フロントプレート３３の左右の端部には、サイドプレート３４，３４がそれぞれ繋がっている。左のサイドプレート３４は、下部フロントプレート３１、フロントベースプレート３２及び上部フロントプレート３３の左端から左斜め後方に張り出しており、右のサイドプレート３４は、下部フロントプレート３１、フロントベースプレート３２及び上部フロントプレート３３の右端から右斜め後方に張り出している。また、これらサイドプレート３４，３４が水平面に対して略垂直となるように立っており、左のサイドプレート３４の表側の面が左斜め前方を向いており、右のサイドプレート３４の表側の面が右斜め前方を向いている。サイドプレート３４は、横から見て、その上部がその下部よりも前方に張り出している。
【００３０】
上部フロントプレート３３及びサイドプレート３４，３４の上端には、庇部３８が繋がっている。なお、上部フロントプレート３３が設けられずに、庇部３８がフロントベースプレート３２の前端（つまり、前寄り部分３２ｂの上底）に繋がっていてもよい。
【００３１】
庇部３８は、上部フロントプレート３３の上端から上斜め前方に張り出しているとともに、サイドプレート３４，３４の上端から左右に張り出している。そして、庇部３８は、フロントベースプレート３２の上斜め左方からフロントベースプレート３２の上斜め前方を経由してフロントベースプレート３２の上斜め右方にかけての範囲内に配置されている。
【００３２】
庇部３８が前上がりに傾斜し、庇部３８の表側の面３８ａが下斜め前を向いている。水平面に対する庇部３８の勾配は、水平面に対するフロントベースプレート３２の前寄り部分３２ｂの勾配よりも緩やかである。また、水平面に対する庇部３８の勾配は、水平面に対するフロントベースプレート３２の後寄り部分３２ａの勾配よりも緩やかである。なお、庇部３８が水平となるよう前方に延出し、庇部３８の表側の面３８ａが鉛直方向に向いていてもよい。また、庇部３８が前下がりに傾斜するよう下斜め前方に延出し、庇部３８の表側の面３８ａが下斜め後ろに向いていてもよい。
【００３３】
庇部３８の表側の面３８ａは、黒色加工されている。例えば、庇部３８の表側の面３８ａには、黒アルマイト処理が施されており、その面３８ａでの反射が防止されている。更に、庇部３８の表側の面３８ａに植毛が施されていたり、その面３８ａが凸凹（例えば、シボ加工）に設けられていたりすることによって、庇部３８の表側の面３８ａでの反射が更に防止されていてもよい。
【００３４】
前枠３９は、庇部３８の前端及び左右両端に繋がっているとともに、庇部３８の前端及び左右両端から上方に張り出している。前枠３９は、庇部３８の左から前を経由して右を囲うように、上から見てＵ字形又はコ字形に設けられている。
【００３５】
左のサイドプレート３４の後端及び前枠３９の左部後端には、左のフランジ３５が繋がっている。左のフランジ３５は、左のサイドプレート３４の後端及び前枠３９の左部後端から左方に張り出している。右のサイドプレート３４の後端及び前枠３９の右部後端には、右のフランジ３５が繋がっている。右のフランジ３５は、右のサイドプレート３４の後端及び前枠３９の右部後端から右方に張り出している。これらフランジ３５，３５は、水平面に対して略垂直となるように立っている。
【００３６】
下部フロントプレート３１、フロントベースプレート３２、上部フロントプレート３３、サイドプレート３４，３４、フランジ３５、庇部３８及び前枠３９の裏側には、複数枚のフィン３６，３６，…が設けられている。
【００３７】
これらフィン３６，３６，…は下部フロントプレート３１、フロントベースプレート３２、上部フロントプレート３３、サイドプレート３４，３４、フランジ３５及び庇部３８の裏側の面に対して立てた状態に設けられている。フィン３６，３６，…は、水平面にほぼ直交している。フィン３６，３６，…は、下部フロントプレート３１、フロントベースプレート３２、上部フロントプレート３３、サイドプレート３４，３４、フランジ３５、庇部３８及び前枠３９よりも薄い。
【００３８】
フィン３６，３６，…は、互いに平行となるように、左右に間隔をおいて配列されている。これらフィン３６，３６，…の間に隙間３７，３７，…が形成されている。これら隙間３７，３７，…の前側が下部フロントプレート３１、フロントベースプレート３２、上部フロントプレート３３、サイドプレート３４，３４、フランジ３５、庇部３８及び前枠３９によって塞がれているが、これら隙間３７，３７，…の下側、上側及び後ろ側は塞がれていない。
【００３９】
図２に示すように、フロントベースプレート３２の前寄り部分３２ｂの表側の前面には、発光素子１０の基板１１がネジ等によって取り付けられている。基板１１と前寄り部分３２ｂが面接触している。基板１１が前寄り部分３２ｂに取り付けられた状態では、発光素子１０が下斜め前方に向いている。
【００４０】
導光体２０がヒートシンク３０の前に配置されている。ここで、図１に示すように、導光体２０の左右両側に、それぞれ脚部２５が設けられている。脚部２５が後方に延出し、脚部２５の突端がフランジ３５との間にレンズホルダ２６を挟持した状態でフランジ３５に固定されている。
【００４１】
図２に示すように、導光体２０がヒートシンク３０に取り付けられた状態では、フロントベースプレート３２の前寄り部分３２ｂが導光体２０の入射面２１の上寄り部分に対向している。入射面２１の下寄り部分がフロントベースプレート３２の後ろ寄り部分３２ａの下に配置されている。導光体２０の第２の反射面２３が、下部フロントプレート３１の前に配置されている。
【００４２】
発光素子１０は、フロントベースプレート３２の前寄り部分３２ｂと導光体２０の入射面２１の上寄り部分との間の隙間４１に配置されている。入射面２１の下寄り部分とフロントベースプレート３２の後寄り部分３２ａとの間の隙間４２は、フロントベースプレート３２の前寄り部分３２ｂと導光体２０の入射面２１の上寄り部分との間の隙間４１よりも大きい。
【００４３】
図２、図５に示すように、庇部３８が、導光体２０の上端の上から導光体２０を覆い被さっている。庇部３８は、発光素子１０の設置面（基板１１の前側の面）を上斜め前に延長した面αよりも前方に延出している。更に、庇部３８は、発光素子１０と入射面２１の上縁とを結ぶ延長面βよりも前方に延出している。庇部３８が導光体２０の上端から上に離れており、導光体２０の上端と庇部３８の間には隙間４３が形成されている。
【００４４】
発光素子１０は、発光すると発熱する。発光素子１０で生じた熱はフロントベースプレート３２を通じてフィン３６に伝導し、フィン３６の熱が空気中に放出される。特に、フロントベースプレート３２のみならず、下部フロントプレート３１、上部フロントプレート３３、サイドプレート３４、フランジ３５、庇部３８及び前枠３９によっても、発光素子１０の熱がフィン３６に伝導する。そのため、発光素子１０を効率よく冷却することができる。
【００４５】
また、フィン３６の熱によって隣り合うフィン３６の間の隙間３７には、上昇気流が生じる。隙間３７の上や下が下部フロントプレート３１、上部フロントプレート３３、サイドプレート３４、フランジ３５、庇部３８及び前枠３９によって塞がれていないから、発生した上昇気流が下部フロントプレート３１、上部フロントプレート３３、サイドプレート３４、フランジ３５、庇部３８及び前枠３９によって妨げられることはない。強い上昇気流によってフィン３６の放熱量が高まり、発光素子１０を効率よく放熱することができる。
【００４６】
フロントベースプレート３２の後寄り部分３２ａの勾配が前寄り部分３２ｂや入射面２１の勾配よりも緩やかなため、入射面２１とフロントベースプレート３２の後寄り部分３２ａとの間の隙間４２が大きくなっている。そのため、発光素子１０から発した熱がその隙間４２に籠もりにくい。特に、隙間４１〜４３が空気の流路となり、熱気が隙間４３から前に放出される。従って、発光素子１０が高温になりにくい。
【００４７】
下部フロントプレート３１が略垂直に立っているから、フィン３６の表面積を確保しつつ、上部フロントプレート３３からフィン３６の後端までの前後長を短くすることができる。
【００４８】
庇部３８が上部フロントプレート３３の上端から前方に延出しているから、その分だけフィン３６の表面積が広くなっている。更に、前枠３９が上部フロントプレート３３の上端よりも上に位置しているから、その分だけフィン３６の表面積が広くなる。そのため、フィン３６の放熱量が高まり、発光素子１０を効率よく放熱することができる。
【００４９】
庇部３８が前方に延出しているから、発光素子１０から上斜め前に放射した光が庇部３８によって遮蔽される。水平方向よりも上向きの光が遮蔽されるため、照明装置１の前から来る対向車に対してグレアを発生させないようにすることができる。特に、庇部３８の表側の面３８ａが反射防止加工されているので、グレアの発生をより抑えることができる。
【００５０】
〔第２の実施の形態〕
図６は、第２の実施の形態に係る照明装置１Ａの鉛直断面図である。図７は、照明装置１Ａの平面図である。図８は、鉛直断面の拡大図である。第２実施形態に係る照明装置１Ａと第１実施形態に係る照明装置１との間で互いに対応する部分には、同一の符号を付す。また、第２実施形態に係るヒートシンク３０Ａと第１実施形態に係るヒートシンク３０との間で互いに対応する部分には、同一の符号を付す。
【００５１】
図５〜図８に示すように、第２実施形態に係るヒートシンク３０Ａでは、庇部３８には貫通孔３８ｂが形成され、貫通孔３８ｂが庇部３８を上下に貫通している。そのため、発光素子１０によって生じた熱気が貫通孔３８ｂを通って上昇する。よって、発光素子１０を効率よく冷却することができる。
【００５２】
図８に示すように、庇部３８が発光素子１０と入射面２１の上縁とを結ぶ延長面βよりも前方に延出しており、前枠３９の下縁がその延長面βよりも下に位置している。前枠３９が、発光素子１０の設置面を上斜め前に延長した面αよりも上方に延出しており、前枠３９の上縁がその面αよりも上に位置している。そのため、発光素子１０から発した光が貫通孔３８ｂを通過しても、前枠３９によって遮られる。よって、グレアの発生を抑えることができる。
【００５３】
以上に説明したことを除いて、第２実施形態のヒートシンク３０Ａと第１実施形態のヒートシンク３０との間で互いに対応する部分が同様に設けられている。また、第２実施形態の照明装置１Ａと第１実施形態の照明装置１との間で互いに対応する部分についても同様である。
【００５４】
〔第３の実施の形態〕
図９は、第３の実施の形態に係る照明装置１Ｂの鉛直断面図である。第３実施形態に係る照明装置１Ｂと第１実施形態に係る照明装置１との間で互いに対応する部分には、同一の符号を付す。また、第３実施形態に係るヒートシンク３０Ｂと第１実施形態に係るヒートシンク３０との間で互いに対応する部分には、同一の符号を付す。
【００５５】
図９に示すように、第３実施形態に係るヒートシンク３０Ｂでは、庇部３８が放物面系リフレクタとなっている。つまり、庇部３８の表側の面３８ａが放物面の形状に形成されており、アルミニウム蒸着等の反射膜がその面３８ａに施され、その面３８ａが放物面系反射面となっている。勿論、面３８ａには、植毛・凸凹・黒色加工等の反射防止処理がされていない。
【００５６】
ここでの放物面とは、発光素子１０又はその近傍を焦点とするとともにその焦点から前方に延びる回転対称軸を光軸とした回転放物面、その回転放物面を上下又は左右に扁平させた扁平楕円面又はその回転楕円面又は扁平楕円面を基調とした自由曲面のことをいう。
【００５７】
庇部３８の表側の面３８ａが放物面系反射面となっているから、発光素子１０から発した光が面３８ａによって前方に反射され、隙間４３を前へ通過する。その反射光は光軸Ａｘに平行な略平行光である。面３８ａによって反射した光が上向きの光でないから、グレアの発生を抑えることができる。
また、面３８ａで反射した光の照射範囲が、導光体２０によって前方に投射された光の照射範囲に重なる。そのため、光束の利用効率が向上し、より明るい照明を実現することができる。
なお、庇部３８が放物面系リフレクタであっても、庇部３８が発光素子１０と入射面２１の上縁とを結ぶ延長面βよりも前方に延出している。
【００５８】
以上に説明したことを除いて、第３実施形態のヒートシンク３０Ｂと第１実施形態のヒートシンク３０との間で互いに対応する部分が同様に設けられている。また、第３実施形態の照明装置１Ｂと第１実施形態の照明装置１との間で互いに対応する部分についても同様である。
【００５９】
〔変形例〕
本発明を適用可能な実施形態は、上述した各実施形態に限定されることなく、本発明の趣旨を逸脱しない範囲で適宜変更可能である。以下、幾つかの変形例を挙げる。以下に挙げる変形例は、可能な限り組み合わせてもよい。また、以下に述べる変形例は、上記第１〜第３の実施形態の何れに適用してもよい。
【００６０】
〔変形例１〕
水平面に対するフロントベースプレート３２の前寄り部分３２ｂの傾斜角と、水平面に対する前寄り部分３２ｂの傾斜角が等しく、後寄り部分３２ａと前寄り部分３２ｂが面一となっていてもよい。
【００６１】
〔変形例２〕
導光体２０を放物面系リフレクタに代えてもよい。この場合、光学系としての放物面系リフレクタが発光素子１０の下斜め後ろから下斜め前にかけて配置されており、放物面系リフレクタの前側内面が放物面系反射面となっており、その放物面系反射面の焦点が発光素子１０又はその近傍に設定されている。その放物面系反射面は、発光素子１０から発した光を前方に反射させる。その反射光は、左又は右から見て、水平面に対して僅かに下に傾いた略平行光となる。一方、その反射光は、上又は下から見て、放射状に左右へ拡散した光となる。
【００６２】
〔変形例３〕
導光体２０を凸レンズに代えてもよい。この場合、光学系としての凸レンズが発光素子１０の前方に配置され、凸レンズの焦点又は焦線が凸レンズの後方に設定され、その焦点（焦線の場合には、焦線の中心点）が発光素子１０又はその近傍に位置している。凸レンズは、発光素子１０から発した光を前方に投射する。凸レンズによって投射された光は、左又は右から見て、水平面に対して僅かに下に傾いた略平行光となる。一方、凸レンズによって投射された光は、上又は下から見て、放射状に左右へ拡散した光となる。
【００６３】
〔変形例４〕
サイドプレート３４，３４及びフランジ３５が無くてもよい。この場合、正面から見て、下部フロントプレート３１、フロントベースプレート３２（後寄り部分３２ａと前寄り部分３２ｂ）、上部フロントプレート３３及び庇部３８が左右方向に延びた帯状を成している。例えば、下部フロントプレート３１、フロントベースプレート３２（後寄り部分３２ａと前寄り部分３２ｂ）、上部フロントプレート３３及び庇部３８が、図４（ｂ）に示す左のフランジ３５の左縁に相当する部分から右のフランジ３５の右縁に相当する部分まで帯状に延びている。
【００６４】
〔変形例５〕
上記各実施形態では、本発明に係る照明装置を車両用灯具として用いるものとして説明したが、ウォールライトその他の照明灯として用いてもよい。照明装置の用途に応じて光学系の特性を変更するのは勿論であり、光軸の向きも前向きではなく、下斜め前向きであってもよいし、下向きであってもよいし、その他の向きであってもよい。
【符号の説明】
【００６５】
１  照明装置
１０  発光素子
２０  導光体（光学系）
２１  入射面
２２  第１の反射面
２３  第２の反射面
２４  出射面
３０、３０Ａ、３０Ｂ  ヒートシンク
３１  下部フロントプレート
３２  フロントベースプレート
３２ａ  後寄り部分
３２ｂ  前寄り部分
３３  上部フロントプレート
３８  庇部
３８ｂ  貫通孔
３９  前枠
３６  フィン
【図１】
0005553708.tif 000002
【図２】
0005553708.tif 000003
【図３】
0005553708.tif 000004
【図４】
0005553708.tif 000005
【図５】
0005553708.tif 000006
【図６】
0005553708.tif 000007
【図７】
0005553708.tif 000008
【図８】
0005553708.tif 000009
【図９】
0005553708.tif 000010